(57)【要約】【課題】部品点数を削減することができる接続端子を提供する。【解決手段】箱状に形成された接続部３と、接続部３の一側に一体に設けられ電線の端末部に接続される電線接続部とを備えた接続端子１において、接続部３に、対向して配置された一対の対向壁９，９と、一対の対向壁９，９に跨って配置され一対の対向壁９，９のうち一方の対向壁９と連結部１１を介して連結された接続壁１３とを設け、連結部１１に、接続部３の他側から電線接続部に向けて延設され接続部３，３同士の他側を合わせたときに互いに挿入可能で互いの接続壁１３，１３を対向して配置させるスリット１５を設け、接続壁１３に、接続壁１３の内面から接続部３の内部に向けて突設されスリット１５，１５同士を挿入させたときに接続壁１３に接触される第１接点１７を設けた。【選択図】図２
2018206713.tif 000002
【特許請求の範囲】
【請求項１】
箱状に形成された接続部と、
前記接続部の一側に一体に設けられ電線の端末部に接続される電線接続部と、
前記接続部に設けられ対向して配置された一対の対向壁と、
前記接続部に設けられ一対の前記対向壁に跨って配置され一対の前記対向壁のうち少なくとも一方の前記対向壁と連結部を介して連結された接続壁と、
前記連結部に設けられ前記接続部の他側から前記電線接続部に向けて延設され前記接続部同士の他側を合わせたときに互いに挿入可能で互いの前記接続壁を対向して配置させるスリットと、
前記接続壁に設けられ前記接続壁の内面から前記接続部の内部に向けて突設され前記スリット同士を挿入させたときに前記接続壁に接触される第１接点と、
を有することを特徴とする接続端子。
【請求項２】
請求項１記載の接続端子であって、
一対の前記対向壁のうち一方の前記対向壁には、前記接続部に挿入されるタブ状の相手接続部に接触される第２接点が設けられ、
他方の前記対向壁には、前記相手接続部を前記第２接点に向けて付勢する接触バネが設けられていることを特徴とする接続端子。
【発明の詳細な説明】
【技術分野】
【０００１】
本発明は、接続端子に関する。詳細には、箱状に形成された接続部を有する接続端子に関する。
【背景技術】
【０００２】
従来、接続端子としては、箱状に形成された接続部と、接続部の一側に一体に設けられ電線の端末部に接続される電線接続部とを備えたものが知られている（例えば、特許文献１参照）。
【０００３】
この接続端子では、箱状の接続部内に、相手端子のタブ状の相手接続部が挿入されることにより、接続端子と相手端子とが電気的に接続される。
【先行技術文献】
【特許文献】
【０００４】
【特許文献１】特開２０１６−９６０５号公報
【発明の概要】
【発明が解決しようとする課題】
【０００５】
ところで、上記特許文献１のような接続端子では、端子の接続構造において、箱状の接続部を有する雌型端子と、タブ状の接続部を有する雄型端子とをそれぞれ成形する必要があり、部品点数としては２種類が必要となる。
【０００６】
このため、２種類の接続端子を成形し、成形された２種類の接続端子の部品管理を行わなければならず、部品点数の削減が望まれていた。
【０００７】
そこで、この発明は、部品点数を削減することができる接続端子の提供を目的としている。
【課題を解決するための手段】
【０００８】
請求項１記載の発明は、箱状に形成された接続部と、前記接続部の一側に一体に設けられ電線の端末部に接続される電線接続部と、前記接続部に設けられ対向して配置された一対の対向壁と、前記接続部に設けられ一対の前記対向壁に跨って配置され一対の前記対向壁のうち少なくとも一方の前記対向壁と連結部を介して連結された接続壁と、前記連結部に設けられ前記接続部の他側から前記電線接続部に向けて延設され前記接続部同士の他側を合わせたときに互いに挿入可能で互いの前記接続壁を対向して配置させるスリットと、前記接続壁に設けられ前記接続壁の内面から前記接続部の内部に向けて突設され前記スリット同士を挿入させたときに前記接続壁に接触される第１接点とを有することを特徴とする接続端子である。
【０００９】
この接続端子では、連結部に、接続部の他側から電線接続部に向けて延設され接続部同士の他側を合わせたときに互いに挿入可能で互いの接続壁を対向して配置させるスリットが設けられているので、接続壁を弾性変形可能に配置させ、接続壁に付勢力をもたせることができる。
【００１０】
この付勢力を有する接続壁は、１種類の接続端子同士の互いのスリットを挿入させることにより、相手の接続壁に対向して配置される。
【００１１】
この接続壁には、接続壁の内面から接続部の内部に向けて突設されスリット同士を挿入させたときに接続壁に接触される第１接点が設けられているので、１種類の接続端子同士の互いの接続壁を対向して配置させた状態で、接続壁の付勢力によって第１接点を相手の接続壁に接触させることができる。
【００１２】
従って、このような接続端子では、１種類の接続端子同士で電気的に接続することができ、部品点数を削減することができる。
【００１３】
請求項２記載の発明は、請求項１記載の接続端子であって、一対の前記対向壁のうち一方の前記対向壁には、前記接続部に挿入されるタブ状の相手接続部に接触される第２接点が設けられ、他方の前記対向壁には、前記相手接続部を前記第２接点に向けて付勢する接触バネが設けられていることを特徴とする。
【００１４】
この接続端子では、一方の対向壁に、接続部に挿入されるタブ状の相手接続部に接触される第２接点が設けられ、他方の対向壁に、相手接続部を第２接点に向けて付勢する接触バネが設けられているので、タブ状の相手接続部を有する雄型端子と電気的に接続することができ、接続形態の自由度を向上することができる。
【発明の効果】
【００１５】
本発明によれば、部品点数を削減することができる接続端子を提供することができるという効果を奏する。
【図面の簡単な説明】
【００１６】
【図１】本発明の実施の形態に係る接続端子の斜視図である。
【図２】本発明の実施の形態に係る接続端子の正面図である。
【図３】本発明の実施の形態に係る接続端子同士を接続させたときの斜視図である。
【図４】図３のＡ−Ａ断面図である。
【図５】本発明の実施の形態に係る接続端子とタブ状の相手接続部を有する雄型端子とを接続させたときの斜視図である。
【図６】本発明の実施の形態に係る接続端子とタブ状の相手接続部を有する雄型端子とを接続させたときの正面図である。
【発明を実施するための形態】
【００１７】
図１〜図６を用いて本発明の実施の形態に係る接続端子について説明する。
【００１８】
本実施の形態に係る接続端子１は、箱状に形成された接続部３と、接続部３の一側に一体に設けられ電線５の端末部に接続される電線接続部７とを備えている。
【００１９】
また、接続部３には、対向して配置された一対の対向壁９，９と、一対の対向壁９，９に跨って配置され一対の対向壁９，９のうち少なくとも一方の対向壁９と連結部１１を介して連結された接続壁１３とが設けられている。
【００２０】
さらに、連結部１１には、接続部３の他側から電線接続部７に向けて延設され接続部３，３同士の他側を合わせたときに互いに挿入可能で互いの接続壁１３，１３を対向して配置させるスリット１５が設けられている。
【００２１】
そして、接続壁１３には、接続壁１３の内面から接続部３の内部に向けて突設されスリット１５，１５同士を挿入させたときに接続壁１３に接触される第１接点１７が設けられている。
【００２２】
また、一方の対向壁９には、接続部３に挿入されるタブ状の相手接続部１９に接触される第２接点２１が設けられ、他方の対向壁９には、相手接続部１９を第２接点２１に向けて付勢する接触バネ２３が設けられている。
【００２３】
ここで、本実施の形態に係る接続端子１は、例えば、互いに嵌合可能なハウジングに形成された端子収容室内に、それぞれ収容される。
【００２４】
この接続端子１を収容したハウジングは、互いに嵌合することにより、互いの端子収容室に収容された接続端子１，１が電気的に接続される。
【００２５】
以下、図１〜図６を用いて接続端子１の詳細について説明する。
【００２６】
図１〜図６に示すように、接続端子１は、導電性材料からなる１枚の板材に対して、打ち抜き加工や折り曲げ加工などを施すことによって、電線接続部７と、接続部３とが連続する一部材で形成されている。
【００２７】
電線接続部７は、被覆圧着部２５と、芯線圧着部２７とを備えている。
【００２８】
被覆圧着部２５は、一対の加締め片からなり、電源や機器などに接続された電線５の端末部において、電線５の被覆部を加締める。
【００２９】
この被覆圧着部２５を電線５の被覆部に加締めることにより、接続端子１が電線５に固定される。
【００３０】
芯線圧着部２７は、接続部３と被覆圧着部２５との間に設けられた一対の圧着片からなり、電線５の端末部において、電線５の被覆部から露出された芯線部を加締めて圧着される。
【００３１】
この芯線圧着部２７を電線５の芯線部に圧着させることにより、接続端子１が電線５に電気的に接続される。
【００３２】
接続部３は、一対の対向壁９，９と、連結壁２９と、接続壁１３とが連続する一部材で形成され、折り曲げ加工によって箱状に形成された雌型の接続部からなり、接続部３の一側である電線接続部７側で、底壁である対向壁９が電線接続部７と連続する一部材で形成されている。
【００３３】
一対の対向壁９，９は、接続部３の上壁と底壁とを構成し、接続部３の高さ方向に対向して配置されている。
【００３４】
連結壁２９は、接続部３の側壁を構成し、一対の対向壁９，９の幅方向一側に一対の対向壁９，９に跨って配置され、両側面がそれぞれ一対の対向壁９，９と連続する一部材で形成されている。
【００３５】
接続壁１３は、接続部３の側壁を構成し、一対の対向壁９，９の幅方向他側に一対の対向壁９，９に跨って配置され、一対の対向壁９，９のうち上壁を構成する対向壁９と連結部１１を介して連続する一部材で形成されており、底壁を構成する対向壁９とは連結されていない。
【００３６】
この接続壁１３と対向壁９とを連結する連結部１１には、スリット１５が設けられている。
【００３７】
スリット１５は、連結部１１において、接続部３の他側である開口端から電線接続部７側に向けて延設されている。
【００３８】
このように連結部１１にスリット１５を設けることにより、接続部３において、接続壁１３を接続部３の幅方向に弾性変形可能とすることができる。
【００３９】
このスリット１５は、接続端子１，１の接続部３，３同士の互いのスリット１５，１５の位置を合わせて接続部３，３の開口端を突き合わせたときに、相手の接続端子１のスリット１５に挿入可能となっている。
【００４０】
この互いのスリット１５，１５同士を挿入させた状態では、互いの接続壁１３，１３の内面同士が接続部３の幅方向に対向して配置される。
【００４１】
このような接続壁１３の内面には、接続壁１３の内面から接続部３の内部に向けて突設された第１接点１７が設けられている。
【００４２】
この第１接点１７は、互いのスリット１５，１５が挿入されるときに、相手の接続壁１３の内面と摺動して相手の接続壁１３を接続部３の外方に向けて撓ませる。
【００４３】
このような第１接点１７は、互いのスリット１５，１５が挿入され、互いの接続壁１３，１３が対向して配置された状態で、接続壁１３の接続部３の内方に向けて復元しようとする付勢力によって、相手の接続壁１３の内面に当接される。
【００４４】
このように互いの接続部３，３が嵌合された状態（互いのスリット１５，１５が挿入された状態）で、第１接点１７を相手の接続壁１３に接触させることにより、１種類の接続端子１であっても、接続端子１，１同士を電気的に接続することができる。
【００４５】
ここで、接続端子をタブ状の接続部を有する雄型端子とした場合、タブ状の接続部は、接続部の長さが長く、相手接続部との接触部が露出されているので、他の部材との干渉などによる外力によって、接続部自体の変形や接触部の損傷などを生じる恐れがある。
【００４６】
これに対して、接続端子１は、箱状に形成された接続部３を有する雌型端子であるので、接続壁１３の接触面積を確保できるだけの接続部３の長さでよく、第１接点１７も露出されておらず、他の部材との干渉などによる外力に対する耐力を向上することができる。
【００４７】
このような接続部３には、第２接点２１と、接触バネ２３とが設けられている。
【００４８】
第２接点２１は、一対の対向壁９，９のうち上壁を構成する対向壁９の内面から接続部３の内部に向けて突設されている。
【００４９】
接触バネ２３は、一対の対向壁９，９のうち底壁を構成する対向壁９を、接続部３の開口側の端部から接続部３の内部に向けて折り返すことにより弾性変形可能に設けられている。
【００５０】
このような第２接点２１と接触バネ２３とは、接続端子１がタブ状の相手接続部１９を有する相手端子と接続されるときに、接触バネ２３が接続部３に挿入された相手接続部１９を第２接点２１に向けて付勢し、第２接点２１が相手接続部１９に接触され、接続端子１と相手端子とが電気的に接続される。
【００５１】
このように接続部３に第２接点２１と接触バネ２３とを設けることにより、接続端子１が雄型端子とも接続することができ、接続端子１の接続形態の自由度を向上することができる。
【００５２】
このような接続端子１では、連結部１１に、接続部３の他側から電線接続部７に向けて延設され接続部３，３同士の他側を合わせたときに互いに挿入可能で互いの接続壁１３，１３を対向して配置させるスリット１５が設けられているので、接続壁１３を弾性変形可能に配置させ、接続壁１３に付勢力をもたせることができる。
【００５３】
この付勢力を有する接続壁１３は、１種類の接続端子１，１同士の互いのスリット１５，１５を挿入させることにより、相手の接続壁１３に対向して配置される。
【００５４】
この接続壁１３には、接続壁１３の内面から接続部３の内部に向けて突設されスリット１５，１５同士を挿入させたときに接続壁１３に接触される第１接点１７が設けられているので、１種類の接続端子１，１同士の互いの接続壁１３，１３を対向して配置させた状態で、接続壁１３の付勢力によって第１接点１７を相手の接続壁１３に接触させることができる。
【００５５】
従って、このような接続端子１では、１種類の接続端子１，１同士で電気的に接続することができ、部品点数を削減することができる。
【００５６】
また、一方の対向壁９には、接続部３に挿入されるタブ状の相手接続部１９に接触される第２接点２１が設けられ、他方の対向壁９には、相手接続部１９を第２接点２１に向けて付勢する接触バネ２３が設けられているので、タブ状の相手接続部１９を有する雄型端子と電気的に接続することができ、接続形態の自由度を向上することができる。
【００５７】
なお、本実施の形態に係る接続端子では、一方の対向壁と接続壁とを連結する連結部にスリットが設けられているが、これに限らず、一対の対向壁と接続壁とを連結する２つの連結部のそれぞれにスリットを設けてもよい。
【００５８】
このような場合であっても、互いの接続部を嵌合することができると共に、接続壁を弾性変形可能に設けることができ、１種類の接続端子で、互いの接続端子を電気的に接続することができる。
【符号の説明】
【００５９】
１…接続端子
３…接続部
５…電線
７…電線接続部
９…対向壁
１１…連結部
１３…接続壁
１５…スリット
１７…第１接点
１９…相手接続部
２１…第２接点
２３…接触バネ
【図１】
2018206713.tif 000003
【図２】
2018206713.tif 000004
【図３】
2018206713.tif 000005
【図４】
2018206713.tif 000006
【図５】
2018206713.tif 000007
【図６】
2018206713.tif 000008